【手続補正書】
【提出日】平成17年5月9日(2005.5.9)
【手続補正１】
【補正対象書類名】特許請求の範囲
【補正対象項目名】全文
【補正方法】変更
【補正の内容】
【特許請求の範囲】
【請求項１】
通信の方法であって、
データパケットを少なくとも１個のタイムスロット上で伝送サイトから送信し、
最初の値および情報から値を計算し、なお最初の値はデータパケット伝送のタイムスロットの数の関数であり、
伝送サイトから値および情報を送信し、
受信サイトにおいて、送信された値および情報を受信し、
受信された情報から値を再計算し、そして
計算された、および、再計算された値から、データパケット伝送のタイムスロットの数を決定する
ことを含む方法。
【請求項２】
ここで、値は巡回冗長検査値を含む、請求項１記載の方法。
【請求項３】
ここで、最初の巡回冗長検査値はデータパケットが第１の番号のタイムスロット上で送信される場合は第１の最初の値を、そしてデータパケットが第２の番号のタイムスロット上で送信される場合は第２の最初の値を含む、請求項２記載の方法。
【請求項４】
ここで、データパケットは、第１の番号のタイムスロット上で送信され、そしてデータパケット伝送のタイムスロットの数の決定は、計算された、および、再計算された巡回冗長検査値を比較することを含む、請求項３記載の方法。
【請求項５】
ここで、データパケットは第２の番号のタイムスロット上で送信され、そしてデータパケット伝送のタイムスロットの数の決定は、再計算された巡回冗長検査値と、あらかじめ設定された数とのモジューロ２加算を実行し、そして結果を計算された巡回冗長検査値と比較することを含む、請求項３記載の方法。
【請求項６】
ここで、巡回冗長検査値および情報は、第１の番号のタイムスロット上で送信される、請求項３記載の方法。
【請求項７】
ここで、第１の番号のタイムスロットは、４タイムスロットを含み、そして第２の番号のタイムスロットは８タイムスロットを含み、なおタイムスロットは各々１．２５ミリ秒である、請求項６記載の方法。
【請求項８】
通信システムであって、
少なくとも１個のタイムスロット上に拡がるデータパケットを発生し、そして最初の値および情報から値を計算するよう形成されたチャネルエレメントと、なお最初の値はデータパケットのタイムスロットの数の関数であり、および、データパケット、値、および情報を送信するよう形成された送信機とを有する基地局と、
基地局から、値、および情報を受信するよう形成された受信機と、そして受信された情報から値を再計算し、そして、計算された、および再計算された値から、データパケットのタイムスロットの数を決定するよう形成された処理装置とを有する加入者局と
を含む通信システム。
【請求項９】
ここで、最終の値は巡回冗長検査値を含む、請求項８記載の通信システム。
【請求項１０】
ここで、チャネルエレメントはさらに最初の巡回冗長検査値を、データパケットが第１の番号のタイムスロット上に拡がる場合は第１の最初の値に、そしてデータパケットが第２の番号のタイムスロット上に拡がる場合は第２の最初の値にセットするよう形成された、請求項９記載の通信システム。
【請求項１１】
ここで、データパケットは第１の番号のタイムスロット上に拡がり、そして処理装置はさらに、計算された、および、再計算された巡回冗長検査値を比較することによってデータパケットのタイムスロットの数を決定するよう形成された、請求項１０記載の通信システム。
【請求項１２】
ここで、データパケットは第２の番号のタイムスロット上に拡がり、そして処理装置はさらに、再計算された巡回冗長検査値を、あらかじめ設定された値とのモジューロ２加算、および結果を計算された巡回冗長検査値と比較することによって、データパケットのタイムスロットの数を決定するよう形成された、請求項１０記載の通信システム。
【請求項１３】
ここで、巡回冗長検査値および情報は、第１の番号のタイムスロット上に拡がる、請求項１０記載の通信システム。
【請求項１４】
ここで、第１の番号のタイムスロットは４タイムスロットを含み、そして第２の番号のタイムスロットは８タイムスロットを含み、なおタイムスロット各々は１．２５ミリ秒である、請求項１３記載の通信システム。
【請求項１５】
送信デバイスであって、
少なくとも１個のタイムスロット上に拡がるデータパケットを発生し、そして最初の値および情報から値を計算するよう形成されたチャネルエレメントと、なお最初の値はデータパケットのタイムスロットの数の関数であり、そして
データパケット、値、および情報を送信するよう形成された送信機とを
含むデバイス。
【請求項１６】
受信デバイスであって、
少なくとも１個のタイムスロット上で送信されたデータパケット、および値および情報を受信するよう形成された受信機と、なお値は最初の値および情報から計算されており、なお最初の値はデータパケット伝送のタイムスロットの数の関数であり、そして
受信された情報から値を再計算し、そして、計算された、および再計算された値からデータパケット伝送のタイムスロットの数を決定するよう形成された処理装置と
を含む、受信デバイス。
【請求項１７】
ここで、値は巡回冗長検査値を含む、請求項１６記載の受信デバイス。
【請求項１８】
ここで、処理装置はさらに、計算された、および、再計算された巡回冗長検査値を比較することによって、データパケット伝送のタイムスロットの数を決定するよう形成された、請求項１７記載の受信デバイス。
【請求項１９】
ここで、処理装置はさらに、再計算された巡回冗長検査値と、あらかじめ設定された値とのモジューロ２加算によって、データパケット伝送のタイムスロットの数を決定し、そして結果を計算された巡回冗長検査値と比較するよう形成された、請求項１７記載の受信デバイス。
【請求項２０】
通信の方法を実行するために、計算機プログラムによって実行可能な命令のプログラムを具体化する計算機により読み出し可能な媒体であって、方法は、
少なくとも１個のタイムスロット上に拡がるデータパケットを発生し、
最初の値および情報から値を計算し、なお最初の値はデータパケットのタイムスロットの数の関数であり、そして
データパケット、値、および情報を通信媒体上で伝送するためにフォーマットする
ことを含む、
方法。
【請求項２１】
通信システムであって、
少なくとも１個のタイムスロット上に拡がるデータパケットを発生するための手段と、そして最初の値および情報から値を計算するための手段と、なお最初の値はデータパケットのタイムスロットの数の関数であり、そしてデータパケット、数、および情報を送信するための手段とを有する基地局と、そして
基地局からの値、および情報を受信するための手段と、受信された情報から値を再計算するための手段と、そして、計算された、および再計算された値からデータパケットのタイムスロットの数を決定するための決定手段とを有する加入者局と
を含む、通信システム。
【請求項２２】
ここで、最終の値は巡回冗長検査値を含む、請求項２１記載の通信システム。
【請求項２３】
ここで、基地局はさらに、最初の巡回冗長検査値を、データパケットが第１の番号のタイムスロット上に拡がる場合は第１の最初の値に、そしてデータパケットが第２の番号のタイムスロット上に拡がる場合は第２の最初の値にセットするための手段を含む、請求項２２記載の通信システム。
【請求項２４】
ここで、データパケットは第１の番号のタイムスロット上に拡がり、そしてここで決定手段は、計算された、および、再計算された巡回冗長検査値を比較するための手段を含む、請求項２２記載の通信システム。
【請求項２５】
ここで、データパケットは第２の番号のタイムスロット上に拡がり、そしてここで、決定手段は、再計算された巡回冗長検査値の、あらかじめ設定された値とのモジューロ２加算を実行し、そして結果を計算された巡回冗長検査値と比較するための手段を含む、請求項２２記載の通信システム。
【請求項２６】
ここで、巡回冗長検査値および情報は、第１の番号のタイムスロット上に拡がる、請求項２５記載の通信システム。
【請求項２７】
送信デバイスであって、
少なくとも１個のタイムスロット上に拡がるデータパケットを発生するための手段と、
最初の値および情報から値を計算するための手段と、なお最初の値はデータパケットのタイムスロットの数の関数であり、そして
通信媒体上での伝送のためにデータパケット、値、および情報をフォーマットするための手段と
を含む、送信デバイス。
【請求項２８】
受信デバイスであって、
少なくとも１個のタイムスロット上で送信されたデータパケット、および値、および情報を受信するための手段と、なお値は最初の値および情報から計算されており、なお最初の値はデータパケット伝送のタイムスロットの数の関数であり、
受信された情報から値を再計算するための手段と、そして
計算された、および、再計算された値からデータパケット伝送のタイムスロットの数を決定するための決定手段と
を含む、受信デバイス。
【請求項２９】
ここで、値は巡回冗長検査値を含む、請求項２８記載の受信デバイス。
【請求項３０】
ここで、決定手段は、計算された、および、再計算された巡回冗長検査値を比較するための手段を含む、請求項２９記載の受信デバイス。
【請求項３１】
ここで、決定手段は、再計算された巡回冗長検査値と、あらかじめ設定された値とのモジュロ２加算を実行し、結果を計算された巡回冗長検査値と比較するための手段を含む、請求項２９記載の受信デバイス。